(57)【特許請求の範囲】
【請求項１】
矩形で平板状のＬＣＤ部を保持してその表示面を外部に露出する箱形状のＬＣＤホルダーであって、
前記ＬＣＤ部の表示面の反対面である下面から該ＬＣＤ部を支持するＬＣＤ支持部と、
前記ＬＣＤ支持部に支持された前記ＬＣＤ部の第１側面部が浮かびあがらないように、該第１側面部を押さえる、前記ＬＣＤホルダーの内壁から突設されたＬＣＤ押え部と、
前記ＬＣＤ押え部方向に可撓性を有し、前記第１側面部の対面である前記ＬＣＤ部の第２側面部を付勢して、該第１側面部を前記内壁に押し当てる押当部と、
前記ＬＣＤ押え部方向に可撓性を有すると共に、前記ＬＣＤホルダーの底面から立設されたアーム部と前記アーム部の先端に設けられ前記ＬＣＤ部が浮かびあがらないように、該第２側面部を押さえるロック爪とを有する爪部と、
を含み、
前記押当部は、前記爪部のアーム部より前記内壁側に突出するように前記内壁に対向する前記ＬＣＤホルダーの他の内壁より突出形成されている
ことを特徴とするＬＣＤホルダー。
【請求項２】
請求項１記載のＬＣＤホルダーにおいて、
前記ＬＣＤ支持部は、
前記ＬＣＤ部の下面に点接触して該ＬＣＤ部を支持する複数の突起が設けられ、且つ、前記ＬＣＤ部の形状に対応した受面構造になっている、
ことを特徴とするＬＣＤホルダー。
【発明の詳細な説明】
【技術分野】
【０００１】
本発明は、ＬＣＤ（液晶ディスプレイ）ホルダーに関し、特に、ＬＣＤの表示面を外部に露出する箱形状のＬＣＤホルダーにおいてガタツキを効果的に防止することができるＬＣＤホルダーに関する。
【背景技術】
【０００２】
自動車には、各種の情報表示のためにＬＣＤが搭載されている。ところが、周知のように、自動車に搭載されたＬＣＤは、走行やエンジン駆動等の振動によってガタツキが発生しやすい環境におかれている。
【０００３】
図６は、この種の従来のＬＣＤホルダーを含むＬＣＤ装置を示す分解斜視図である。図７は、図６におけるＣＣ線断面図である。
【０００４】
図６に示すように、従来のＬＣＤ装置９は、ＬＣＤ９１０及びこのＬＣＤ９１０を搭載する箱形状のＬＣＤホルダー９２０から構成されている。ＬＣＤホルダー９２０の上面の四隅には、ＬＣＤ９１０を位置決めするＬ字状の位置決めリブ９２６が設けられている。ＬＣＤホルダー９２０の片側側面からは載置されたＬＣＤ９１０を反対側方向に付勢して固定するための固定爪９２２ａを有する付勢部９２２が設けられ、ＬＣＤホルダー９２０を回路基板（不図示）に装着するためのロック爪９２８ａを有する係止部９２８も設けられている。
【０００５】
また、ＬＣＤホルダー９２０は、図中矢印方向に、ＬＣＤ９１０を載置して回路基板に装着すると共に、この回路基板を電気機器のフロントケース（不図示）に装着することによって、フロントケースの表示開口部からＬＣＤ９１０の表示面を露出させるようにしている。
【０００６】
なお、上記従来のＬＣＤホルダーは、下記特許文献１に詳細に記載されている。
【特許文献１】特開２０００−４０８７号公報
【発明の開示】
【発明が解決しようとする課題】
【０００７】
ところが、図７に示すように、この種のＬＣＤ装置９は、ＬＣＤ９１０のピン端子９１２をＬＣＤホルダー９２０の端子受け９２４に挿入した後、付勢部９２２の固定爪９２２ａが、ＬＣＤ９１０の上下方向の保持をしたうえに、図中矢印Ｃで示す方向、すなわち、ピン端子９１２側にＬＣＤ９１０を押さえつけるようになっている。
【０００８】
そうすると、振動や衝撃の発生下においては、ピン端子９１２側が上下方向に動いてしまう可能性がある。また、これにともなって前後方向にも動いてしまう可能性がある。この結果、振動や衝撃の発生下においては、ＬＣＤ９１０にガタツキが発生してしまうことになる。なお、ＬＣＤ９１０と固定爪９２２ａとのスレにより、異物が挟み込まれる可能性もある。
【０００９】
よって本発明は、上述した現状に鑑み、この種のホルダーに発生しがちであった、上下方向及び前後方向のガタツキを防止することができるＬＣＤホルダーを提供することを課題としている。
【課題を解決するための手段】
【００１０】
上記課題を解決するためになされた請求項１記載のＬＣＤホルダーは、矩形で平板状のＬＣＤ部を保持してその表示面を外部に露出する箱形状のＬＣＤホルダーであって、前記ＬＣＤ部の表示面の反対面である下面から該ＬＣＤ部を支持するＬＣＤ支持部と、前記ＬＣＤ支持部に支持された前記ＬＣＤ部の第１側面部が浮かびあがらないように、該第１側面部を押さえる、前記ＬＣＤホルダーの内壁から突設されたＬＣＤ押え部と、前記ＬＣＤ押え部方向に可撓性を有し、前記第１側面部の対面である前記ＬＣＤ部の第２側面部を付勢して、該第１側面部を前記内壁に押し当てる押当部と、前記ＬＣＤ押え部方向に可撓性を有すると共に、前記ＬＣＤホルダーの底面から立設されたアーム部と前記アーム部の先端に設けられ前記ＬＣＤ部が浮かびあがらないように、該第２側面部を押さえるロック爪とを有する爪部と、を含み、前記押当部は、前記爪部のアーム部より前記内壁側に突出するように前記内壁に対向する前記ＬＣＤホルダーの他の内壁より突出形成されていることを特徴とする。
【００１１】
請求項１記載の発明によれば、ＬＣＤ支持部に支持されたＬＣＤ部は、ＬＣＤホルダーの内壁から突設されたＬＣＤ押え部と、ＬＣＤ押え部方向に可撓性を有すると共に、ＬＣＤホルダーの底面から立設されたアーム部とこのアーム部の先端に設けられ該第２側面部を押さえるロック爪とを有する爪部と、によって、上下方向にガタツキなく固定される。また、ＬＣＤ支持部に支持されたＬＣＤ部は、ＬＣＤ押え部方向に可撓性を有する押当部によって、第１側面部の対面であるＬＣＤ部の第２側面部を付勢されて、該第１側面部が内壁に押し当てられて前後方向（第１側面部及び第２側面部に垂直な方向）にガタツキなく固定される。また、押当部は、爪部のアーム部よりもＬＣＤ押え部の突設された内壁側に突出するように当該内壁に対向する他の内壁より突出形成されている。
【００１２】
上記課題を解決するためになされた請求項２記載のＬＣＤホルダーは、請求項１記載のＬＣＤホルダーにおいて、前記ＬＣＤ支持部は、前記ＬＣＤ部の下面に点接触して該ＬＣＤ部を支持する複数の突起が設けられ、且つ、前記ＬＣＤ部の形状に対応した受面構造になっている、ことを特徴とする。
【００１３】
請求項２記載の発明によれば、ＬＣＤ部の下面は複数の突起によって、点接触してＬＣＤ部を支持する。
【発明の効果】
【００１６】
請求項１記載の発明によれば、ＬＣＤ支持部に支持されたＬＣＤ部は、ＬＣＤホルダーの内壁から突設されたＬＣＤ押え部と、ＬＣＤ押え部方向に可撓性を有すると共に、ＬＣＤホルダーの底面から立設されたアーム部とこのアーム部の先端に設けられ該第２側面部を押さえるロック爪とを有する爪部と、によって、上下方向にガタツキなく固定される。また、ＬＣＤ支持部に支持されたＬＣＤ部は、ＬＣＤ押え部方向に可撓性を有する押当部によって、第１側面部の対面であるＬＣＤ部の第２側面部を付勢されて、該第１側面部が内壁に押し当てられて前後方向（第１側面部及び第２側面部に垂直な方向）にガタツキなく固定される。したがって、従来のホルダーに発生しがちであった、上下方向及び前後方向のガタツキを防止することができる。また、押当部は、爪部のアーム部よりもＬＣＤ押え部の突設された内壁側に突出するように当該内壁に対向する他の内壁より突出形成されている。したがって、支軸が付勢方向にあるために強度を確保できる効果がある。
【００１７】
請求項２記載の発明によれば、ＬＣＤ部の下面は複数の突起によって、点接触してＬＣＤ部を支持する。したがって、上下方向のガタツキをより効果的に防止することができる。
【発明を実施するための最良の形態】
【００１９】
以下、本発明の実施の形態を図面に基づいて説明する。図１は、本発明の一実施形態に係るＬＣＤホルダーを含むＬＣＤ装置を示す分解斜視図である。
【００２０】
図１に示すように、ＬＣＤ装置１は、ＬＣＤ部１０及びＬＣＤホルダー１１を含んで構成される。ＬＣＤ部１０は、ＬＣＤホルダー１１に保持されるＬＣＤ１２及び拡散シート１３を含んで構成される。このＬＣＤ装置１は、例えば、図示しない車載計器等に搭置される。
【００２１】
ＬＣＤ部１０を構成するＬＣＤ１２は、矩形で平板状をしており、例えば、車両等に関する情報をディジタル的又はグラフィック的に外部に表示出力する周知の液晶表示装置である。ＬＣＤ１２の長側面部のうちのひとつからは、ＦＰＣ（フラットケーブル）１２ａが導出されている。ＦＰＣ１２ａの先端は、ＦＰＣコネクタ１１６に電気的、機械的に挿入接続される。
【００２２】
なお、ＬＣＤ部１０の長側面部のうち、ＦＰＣ１２ａが導出されている側を請求項では第１側面部とよび、この第１側面部の対面を第２側面部とよんでいる。また、第１側面部及び第２側面部とは、側面そのものでなくＬＣＤ部１０の固定や係止に利用される側面近傍も含む部位である。
【００２３】
ＬＣＤ部１０を構成する拡散シート１３は、ＬＣＤ１２と同等の平面形状の樹脂製シートであり、バックライトとしてのＬＥＤ（発光ダイオード）１１８からの光を拡散してＬＣＤ１２の表示部の裏面に均等に与えるためのものである。ＬＣＤ１２及び拡散シート１３は、重着されて、ＬＣＤホルダー１１に組み付けられる。
【００２４】
ＬＣＤホルダー１１は、箱形状をしており、例えば、樹脂製である。ＬＣＤホルダー１１には、ＬＣＤ１２及び拡散シート１３を支持するＬＣＤ支持部１１７が形成されている。ＬＣＤ支持部１１７は、ＬＣＤホルダー１１の底面から同等の高さの受面構造になっており、ＬＣＤ部１０の形状に対応している。例えば、上からみると、受面はＨ字に類似している。また、この受面には、ＬＣＤ部１０の下面に点接触して該ＬＣＤ部１０を支持する複数の突起１１５が均等間隔で設けられている。
【００２５】
ＬＣＤ支持部１１７に連接するホルダー内壁には、凸部１１４ｂが設けられている。凸部１１４ｂは、ＬＣＤ部１０の一短側面を押圧し、他短側面を凸部１１４ｂに対向するＬＣＤホルダー内壁に押圧する。
【００２６】
上記第１側面部に対応するＬＣＤホルダー１１の内壁の上部には、一対のＬＣＤ押え部１１３が設けられている。ＬＣＤ押え部１１３は、片状になっており、ＬＣＤ支持部１１７に支持されたＬＣＤ部１０の第１側面部が浮かびあがらないように、該第１側面部を押さえるためのものである。
【００２７】
また、ＬＣＤ押え部１１３に対向するＬＣＤホルダー１１の内壁の上部には、一対の押当部１１２が設けられている。押当部１１２は、例えば、Ｊ字に類似した形状をしており、上記ＬＣＤ押え部１１３方向に可撓性を有し、上記第１側面部の対面であるＬＣＤ部１０の第２側面部を付勢して、該第１側面部をホルダー１１の内壁に押し当てるためのものである。押当部１１２は、ＬＣＤ押え部１１３が設けられた内壁に対向する他の内壁より突出形成されている。これにより、支軸が付勢方向にあるために強度を確保できる効果がある。
【００２８】
更に、一対の押当部１１２の内側には、一対の爪部１１１がＬＣＤホルダー１１の内壁（ホルダー底面）から立設されている。爪部１１１は、ＬＣＤ押え部１１３方向に可撓性を有すると共に、ＬＣＤ部１０が浮かびあがらないように、該第２側面部を押さえるロック爪を有している。なお、爪部１１１及び押当部１１２は、ＬＣＤホルダー１１に一体成形されている。
【００２９】
なお、ＬＣＤホルダー１１内は、上記ＬＣＤ支持部１１７で仕切られており、ＬＣＤ部１０の直下のホルダー底面には、ＬＥＤ（発光ダイオード）１１８が実装されている。ＬＥＤ１１８は、ＬＣＤ１２にバックライトとして機能するものであり、拡散シート１３を介してバックライト光をＬＣＤ１２に供給する。
【００３０】
次に、図２を用いて、ＬＣＤ部１０のＬＣＤホルダー１１への組み付け方法について説明する。図２は、図１のＬＣＤ部のＬＣＤホルダーへの組み付け方法を説明するための図である。
【００３１】
まず、図２における上図に示すように、ＬＣＤ部１０の一部をＬＣＤ支持部１１７を接触させながら、ＬＣＤ部１０の第２側面部を、図中矢印Ａ方向に、爪部１１１及び押当部１１２に引っかけると共に押しつける。爪部１１１及び押当部１１２は、上述したように可撓性を有するので、上図に示すようにやや外側にたわませることができる。なお、図２における上図の状態に至る前に、拡散シート１３がＬＣＤ１２に重着されてＬＣＤ部１０が構成されているものとする。また、ＦＰＣ１２ａは、ＦＰＣコネクタ１１６に挿入接続しておいてもよいし、後で挿入接続してもよい。
【００３２】
次に、図２における下図に示すように、爪部１１１でＬＣＤ部１０の第２側面部を引っかけたままで、ＬＣＤ部１０を若干スライドさせて、ＬＣＤ部１０の第１側面部をＬＣＤ押え部１１３の下側に嵌合させる。これにより、ＬＣＤ部１０の第１側面部は、ＬＣＤ押え部１１３によって浮かびあがることがなくなる。同時に、ＬＣＤ部１０の第２側面部も、爪部１１１によって浮かびあがることがない。また、異物の挟み込みも防止できる。なお、図中矢印Ｂ方向に、押当部１１２の可撓性に起因する応力によって、ＬＣＤ部１０の第１側面部がホルダー内壁に押しあてられるので、ＬＣＤ部１０と爪部１１１との間に多少隙間Ｄがあっても問題はない。すなわち、多少の寸法誤差も吸収できる。
【００３３】
このようにして、ＬＣＤ部がＬＣＤホルダーに対して組み付けられた後には、図３及び図４に示すような状態で安定する。図３は、ＬＣＤ部の組み付け後を想定した図１におけるＡＡ線断面図である。図４は、ＬＣＤ部の組み付け後を想定した図１におけるＢＢ線断面図である。
【００３４】
図３に示すように、ＬＣＤ支持部１１７に支持されたＬＣＤ部１０は、ＬＣＤホルダー１１の内壁から突設されたＬＣＤ押え部１１３と、ＬＣＤ押え部１１３方向に可撓性を有すると共に、ＬＣＤ部１０の第２側面部を押さえるロック爪を有する爪部１１１と、によって、上下方向（図３の矢印で示す方向）にガタツキなく固定される。
【００３５】
また、図４に示すように、ＬＣＤ支持部１１７に支持されたＬＣＤ部１０は、ＬＣＤ押え部１１３方向に可撓性を有する押当部１１２により、ＬＣＤ部１０の第２側面部を付勢して、ＬＣＤ部１０の第１側面部が内壁に押し当てられて、前後方向（図４の矢印で示す方向）にガタツキなく固定される。
【００３６】
したがって、従来、この種のホルダーに発生しがちであった、上下方向及び前後方向のガタツキを防止することができる。なお、ＬＣＤ部１０の下面は上記複数の突起１１５によって、点接触してＬＣＤ部１０を支持するので、上下方向のガタツキをより効果的に防止することができる。更に、拡散シート１３もＬＣＤ１２と共に固定されるので、ＬＣＤ１２のみならず拡散シート１３に対しても同時に上下方向及び前後方向のガタツキを防止することができる。
【００３７】
以上説明したように、本発明の実施形態によれば、この種のホルダーに発生しがちであった、上下方向及び前後方向のガタツキを防止することができる。また、組み付けも非常に容易である。更に、異物の挟み込みも防止することができる。
【００３８】
なお、実施形態で例示した爪部１１１、押当部１１２、ＬＣＤ押え部１１３の形状は、上述したように作用を有するのであれば、それらの形状を小変更することも可能である。例えば、押当部１１２を例にすると、図５（Ａ）の１１２′に示すように、逆Ｊ字形状にしてもよいし、図５（Ｂ）の１１２″に示すように、ホルダー底面から立設させた棒形状にしてもよい。これらの変形例も本発明は含むものである。
【図面の簡単な説明】
【００３９】
【図１】本発明の一実施形態に係るＬＣＤホルダーを含むＬＣＤ装置を示す分解斜視図である。
【図２】図１のＬＣＤ部のＬＣＤホルダーへの組み付け方法を説明するための図である。
【図３】ＬＣＤ部の組み付け後を想定した図１におけるＡＡ線断面図である。
【図４】ＬＣＤ部の組み付け後を想定した図１におけるＢＢ線断面図である。
【図５】図５（Ａ）及び図５（Ｂ）は、押当部の変形例を示す断面図である。
【図６】この種の従来のＬＣＤホルダーを含むＬＣＤ装置を示す分解斜視図である。
【図７】図６におけるＣＣ線断面図である。
【符号の説明】
【００４０】
１  ＬＣＤ装置
１０  ＬＣＤ部
１１  ＬＣＤホルダー
１２  ＬＣＤ
１３  拡散シート
１１１  爪部
１１２  押当部
１１３  ＬＣＤ押え部
１１５  突起
【図１】
0004820118.tif 000002
【図２】
0004820118.tif 000003
【図３】
0004820118.tif 000004
【図４】
0004820118.tif 000005
【図５】
0004820118.tif 000006
【図６】
0004820118.tif 000007
【図７】
0004820118.tif 000008